(57)【要約】      （修正有）【課題】介護が必要な方の体に負担がかからないようにすることが出来る移動介助椅子を提供する。【解決手段】移動介助椅子は、背部分７及び座部分５と、背部分７と座部分５とを回転可能に接続する回転軸９を備える。背部分７を回転させることで平面形状から椅子形状に形を変えられ、椅子形状のまま車椅子・ベッド・ソファー・トイレ・車に載置出来る。座部分５の側部に移動介助椅子持ち部分４を備える。【選択図】図１
0003188081.tif 000002
【実用新案登録請求の範囲】
【請求項１】
移動介助椅子が平面に展開しL字型に展開して移動介助椅子ごと車椅子・ベッド・ソファー・トイレ・などに移動し移動介助椅子をそなえたまま車椅子・ベッド・ソファー・トイレなどを使用する事が出来る事を特徴とした移動介助椅子
【請求項２】
移動介助椅子トイレ兼用中央座部６を、車椅子・ソファー・ベッド・などに固定でき、移動介助椅子中央座部６と移動介助椅子トイレ兼用座部５の中央部分両サイドから高さを合わせ脚の根もとを固定する安全ベルトも使用する事が出来る事を特徴とする請求項１記載の移動介助椅子
【考案の詳細な説明】
【技術分野】
【０００１】
本項案は自力で車椅子からベッドやソファー・トイレ・などに自力で移動する事が困難で介助を必要とする方が移動される時、スムーズに移動が出来るようにする為の移動用介助椅子に関するものである。
【背景技術】
【０００２】
自力での移動が困難で介護を必要されている方(怪我や手術後・骨租しょう症含む)移動介助のもとで移動される時、体に負担がかかり苦痛を感じる時が有るという問題点が有りました。
【考案の概要】
【考案が解決しようとする課題】
【０００３】
自力での移動が困難で介助が必要な方が車椅子からベッド・トイレ・車椅子などから・ソファーなどに一日に何度も移動される事もあります。車椅子からベッドなどに介助して移動する時、体の肩下・脇下・腕の付け根部分から背中などを持たれたり支えられたり抱きかかえるように介助されることも有りますが苦痛を感じられる時もあります。
【０００４】
ズボン両サイドを持って移動介助をする時もありますが、ズボンがくいこんでしまうと言う問題点が有りました。
【０００５】
介護が必要な方を介助している時、どこをお持ちしたら介護が必要な方が苦痛を感じずに介助できるか常に考え介助しますが体調を壊してある時など、体のどこをお持ちしてもささえても苦痛を感じられる時があるという問題点が有りました。
【０００６】
介護が必要な方が苦痛を感じられる可能性がある部分を持ち上げたり負担をかけたりせずに安全に体を移動する事が必要です。
【課題を解決するための手段】
【０００７】
ベッドから車椅子に移動する時、移動介助椅子をベッドの上に平面的に展開し、その上に被介護者が寝たまま移乗するように介助する。移動介助椅子に移乗した後に、移動介助椅子の後部を起こし座椅子の状態にする。座椅子状にした移動介助椅子を介護者が持って、移動介助椅子に被介護者を乗せたまま、車椅子の座部に移動させる。
【０００８】
このようにして移乗のために自分の体重を抱え上げるための力を受けることなく、被介護者はベッドから車椅子へ移乗することができるようになる。  車椅子からベッドへ移乗する時は、上記とは逆の順序で作業を行えばよい。
【０００９】
体を伸ばした寝た状態で移動介助椅子に移動してもらい移動介助椅子をお越し移動介助椅子に座ったまま車椅子に座ることが出来ます。このように移動介助椅子に座ってもらい移動介助椅子に座ったままで移動重ね台座ごと移動する事により、被介護者の体に負担をかけずにベッド・車椅子・ソファー・トイレなどに移動する事ができます。
【考案の効果】
【００１０】
移動介助椅子が安定しているため被介護者の移動介助が容易に出来ます。
車椅子からベッドやソファー・トイレ・などに移動する時、被介護者が苦痛を感じる時があり体に負担をかける時がありましたが、移動介助車椅子を使用する事によって被介護者が苦痛を感じられる体の部分に負担をかける事がなく移動介助できます。
【図面の簡単な説明】
【００１１】
【図１】移動介助椅子トイレ兼用横から見た図
【図２】移動介助椅子トイレ兼用中央座部図
【図３】移動介助椅子トイレ兼用中央座部横から見た図
【図４】移動介助椅子使用図
【図５】移動介助椅子安全ベルト斜め掛け後ろから見た図
【図６】移動介助椅子横から見た図(フラットタイプ)
【図７】移動介助椅子(形・持ちかた可能例)
【考案を実施するための形態】
【実施例】
【００１２】
図１は、移動介助椅子(トイレ兼用タイプ)横から見た図です。１は安全ベルト脚付け根部分です。２は安全ベルト腰部分です。３は安全ベルト肩掛け部分です。４は移動介助椅子持ち部分です。５は移動介助椅子トイレ座部部分、６は移動介助椅子中央座部です。７は移動介助椅子背部分です。
【００１３】
図２は移動介助椅子使用時、車椅子に付ける移動介助椅子トイレ兼用中央座部です。
【００１４】
図３は移動介助椅子トイレ兼用中央座部横から見た図です。
【００１５】
図４は、移動介助椅子使用方法図です。
【００１６】
図５は、安全ベルトを斜めに肩に掛けた図です。(クロスに肩にかける事も出来ます)
【００１７】
図６は、移動介助椅子(フラットタイプ)
【００１８】
図７は、移動介助椅子(形・持ちかた可能例)
【符号の説明】
【００１９】
１、安全ベルト脚付け根部分
２、安全ベルト腰部分
３、安全ベルト肩掛け部分
４、移動介助椅子持ち部分
５、移動介助椅子(トイレ兼用用座部分)
６、移動介助椅子(トイレ兼用中央座部)
７、移動介助車椅子背部分
８、移動介助椅子座部(フラットタイプ)
９、移動介助椅子(トイレ兼用中央座部取り付け紐部分)
【図１】
0003188081.tif 000003
【図２】
0003188081.tif 000004
【図３】
0003188081.tif 000005
【図４】
0003188081.tif 000006
【図５】
0003188081.tif 000007
【図６】
0003188081.tif 000008
【図７】
0003188081.tif 000009
【手続補正書】
【提出日】平成25年3月27日(2013.3.27)
【手続補正１】
【補正対象書類名】明細書
【補正対象項目名】全文
【補正方法】変更
【補正の内容】
【考案の詳細な説明】
【技術分野】
【０００１】
本考案は車椅子からベッドやソファー・車・トイレに自力で移動する事が困難で介助を必要とする方が移動される時、スムーズに移動が出来るようにする為の移動用介助椅子に関するものである。
【背景技術】
【０００２】
自力での移動が困難で介護を必要とされている方(怪我や手術後・骨租しょう症含む)移動介助のもとで移動される時、体に負担がかかり苦痛を感じる時が有るという問題点が有りました。
【考案の概要】
【考案が解決しようとする課題】
【０００３】
自力での移動が困難で介助が必要な方が車椅子からベッド・トイレ・ソファー車に一日に何度も移動される事もあります。車椅子からベッド・トイレ・ソファー・車に介助して移動する時、体の肩下・脇下・腕の付け根部分から背中などを持たれたり支えられたり抱きかかえるように介助されることも有りますが苦痛を感じられる時もあります。
【０００４】
ズボン両サイドを持って移動介助をする時もありますがズボンがくいこんでしまうと言う問題点が有りました。
【０００５】
介護が必要な方を介助している時、どこをお持ちしたら介護が必要な方が苦痛を感じずに介助できるか常に考え介助しますが体調を壊してある時など、体のどこをお持ちしてもささえても苦痛を感じられる時があるという問題点が有りました。
【０００６】
介護が必要な方が苦痛を感じられる可能性がある部分を持ち上げたり負担をかけたりせずに安全に体を移動する事が必要です。
【課題を解決するための手段】
【０００７】
ベッドから車椅子に移動する時、移動介助椅子をベッドの上に平面的に展開し、その上に被介護者が寝たまま移乗するように介助する。移動介助椅子に移乗した後に、移動介助椅子の後部を起こし、安定したL字型の座椅子の状態にする。座椅子状にした移動介助椅子を介護者が持って、移動介助椅子に被介護者を乗せたまま、車椅子の座部に移動させる。
【０００８】
このようにして移乗のために自分の体重を抱え上げるための力を受けることなく、被介護者はベッドから車椅子へ移乗することができるようになる。  車椅子からベッドへ移乗する時は、上記とは逆の順序で作業を行えばよい。
【０００９】
体を伸ばした寝た状態で移動介助椅子に移動してもらい移動介助椅子をお越し移動介助椅子に座ったまま車椅子に座ることが出来ます。このように移動介助椅子に座ってもらい移動介助椅子に座ったままで移動介助椅子ごと移動する事により被介護者の体に負担をかけずに車椅子・車・トイレ・ソファー・ベッドに移動する事ができます。
【考案の効果】
【００１０】
移動介助椅子が安定しているため、被介護者の移動介助が容易に出来ます。
車椅子から車・トイレ・ソファー・ベッドに移動する時、被介護者が苦痛を感じる時があり体に負担をかける時がありましたが、移動介助車椅子を使用する事によって被介護者が苦痛を感じられる体の部分に負担をかける事がなく移動介助できます。
【図面の簡単な説明】
【００１１】
【図１】移動介助椅子トイレ兼用横から見た図
【図２】移動介助椅子トイレ兼用中央座部図
【図３】移動介助椅子トイレ兼用中央座部横から見た図
【図４】移動介助椅子使用図
【図５】移動介助椅子安全ベルト斜め掛け後ろから見た図
【図６】移動介助椅子横から見た図(フラットタイプ)
【図７】移動介助椅子(形・持ちかた可能例)
【図８】移動介助椅子トイレ兼用座部横から見た図
【考案を実施するための形態】
【実施例】
【００１２】
図１は、移動介助椅子(トイレ兼用タイプ)横から見た図です。１は安全ベルト脚付け根部分です。２は安全ベルト腰部分です。３は安全ベルト肩掛け部分です。４は移動介助椅子持ち部分です。５は移動介助椅子トイレ座部部分６は移動介助椅子中央座部です。７は移動介助椅子背部分です。９は回転軸です。
【００１３】
図２、移動介助椅子使用時、車椅子や車・ベッド・ソファーに付ける移動介助椅子トイレ兼用中央座部です。安全ベルトは足付け根部分を固定する時に使用します。(安全ベルト足付け根部分備え付ける方向は、５移動介助椅子トイレ兼用座部部分方向からでも可能)
【００１４】
図３は移動介助椅子トイレ兼用中央座部底横から見た図です。
【００１５】
図４は、は移動介助椅子使用法方図です。
【００１６】
図５は、安全ベルトを斜めに肩に掛け図です。(クロスに肩にかける事も出来ます)
【００１７】
図６は、移動介助椅子(フラットタイプでの使用も可能)
【００１８】
図７は、移動介椅子、形・持ちかた可能例(両サイドは持ち手可能例、下中央くぼみは介護者が足を入れる部分での使用も可能例)
【００１９】
図８は、移動介助椅子トイレ兼用座部、トイレ使用時は洋式トイレにそのまま上から乗せるだけで容易にトイレが使用出来ます。
【符号の説明】
【００２０】
１、安全ベルト足付け根部分
２、安全ベルト腰部分
３、安全ベルト肩掛け部分
４、移動介助椅子持ち部分
５、移動介助椅子(トイレ兼用座部分)
６、移動介助椅子(トイレ兼用中央座部)
７、移動介助車椅子背部分
８、移動介助椅子座部(フラットタイプ)
９、移動介助椅子回転軸
１０、移動介助椅子(トイレ兼用中央座部取り付け紐部分)
【手続補正２】
【補正対象書類名】図面
【補正対象項目名】図８
【補正方法】追加
【補正の内容】
【図８】
0003188081.tif 000010
【手続補正書】
【提出日】平成25年4月15日(2013.4.15)
【手続補正１】
【補正対象書類名】明細書
【補正対象項目名】全文
【補正方法】変更
【補正の内容】
【考案の詳細な説明】
【技術分野】
【０００１】
本考案は車椅子からベッド・ソファー・車・トイレに自力で移動する事が困難で介助を必要とする方が移動される時、スムーズに移動が出来るようにする為の移動介助椅子に関するものである。
【背景技術】
【０００２】
自力での移動が困難で介護を必要とされている方が(怪我や手術後・骨粗鬆症含む)移動介助のもとで移動される時、体に負担がかかり苦痛を感じる時が有るという問題点が有りました。
【考案の概要】
【考案が解決しようとする課題】
【０００３】
自力での移動が困難で介助が必要な方が、車椅子からベッド・トイレ・ソファー・車に一日に何度も移動される事もあります。車椅子からベッド・トイレ・ソファー・車に介助して移動する時、体の肩下・脇下・腕の付け根部分から背中などを持たれたり支えられたり抱きかかえるように介助されることも有りますが苦痛を感じられる時もあります。
【０００４】
ズボン両サイドを持って移動介助をする時もありますがズボンがくいこんでしまうと言う問題点が有りました。
【０００５】
介護が必要な方を介助している時、どこをお持ちしたら介護が必要な方が苦痛を感じずに介助できるか常に考え介助しますが体調を壊してある時など、体のどこをお持ちしてもささえても苦痛を感じられる時があるという問題点が有りました。
【０００６】
介護が必要な方が苦痛を感じられる可能性がある部分を持ち上げたり負担をかけたりせずに安全に体を移動する事が必要です。
【課題を解決するための手段】
【０００７】
ベッドから車椅子に移動する時、移動介助椅子をベッドの上に平面的に展開し、その上に被介護者が寝たまま移乗するように介助する。移動介助椅子に移乗した後に、移動介助椅子の後部を起こし、安定したL字型の座椅子の状態にする。座椅子状にした移動介助椅子を介護者が持って、移動介助椅子に被介護者を乗せたまま、車椅子の座部に移動させる。
【０００８】
このようにして移乗のために自分の体重を抱え上げるための力を受けることなく、被介護者はベッドから車椅子へ移乗することができるようになる。  車椅子からベッドへ移乗する時は、上記とは逆の順序で作業を行えばよい。
【０００９】
移動介助椅子に座ったままで移動介助椅子ごと移動する事により被介護者の体に負担をかけずに車椅子・車・トイレ・ソファー・ベッドに移動する事ができます。
【００１０】
移動介助椅子が安定しているため、被介護者の移動介助が容易に出来ます。車椅子から車・トイレ・ソファー・ベッドに移動する時、被介護者が苦痛を感じる時があり体に負担をかける時がありましたが、移動介助車椅子を使用する事によって被介護者が苦痛を感じられる体の部分に負担をかける事がなく移動介助できます。
【図面の簡単な説明】
【００１１】
【図１】移動介助椅子トイレ兼用横から見た図
【図２】移動介助椅子トイレ兼用中央座部図
【図３】移動介助椅子トイレ兼用中央座部横から見た図
【図４】移動介助椅子使用図
【図５】移動介助椅子安全ベルト斜め掛け後ろから見た図
【図６】移動介助椅子横から見た図(中央座部を備えてない移動介助椅子図)
【図７】移動介助椅子(形・持ちかた可能例)
【図８】移動介助椅子トイレ兼用、(トイレ使用時の移動介助椅子図)
【考案を実施するための形態】
【実施例】
【００１２】
図１は、移動介助椅子(トイレ兼用タイプ)横から見た図です。１は安全ベルト足付け根部分です。２は安全ベルト腰部分です。３は安全ベルト肩掛け部分です。４は移動介助椅子持ち部分です。５は移動介助椅子トイレ座部部分です。６は移動介助椅子中央座部です。７は移動介助椅子背部分です。９は回転軸です。
【００１３】
図２、移動介助椅子使用時、車椅子や車・ベッド・ソファーに付ける移動介助椅子トイレ兼用中央座部です。安全ベルトは足付け根部分を固定する時に使用します。(安全ベルト足付け根部分備え付ける方向は、５移動介助椅子トイレ兼用座部部分方向からでも可能)
【００１４】
図３は移動介助椅子トイレ兼用中央座部底横から見た図です。
【００１５】
図４は、は移動介助椅子使用法方図です。
【００１６】
図５は、安全ベルトを斜めに肩に掛け図です。(クロスに肩にかける事も出来ます)
【００１７】
図６は、移動介助椅子(中央座部を備えていない座部)
【００１８】
図７は、移動介椅子、形・持ちかた可能例(両サイドは持ち手可能例、下中央くぼみは介護者が足を入れる部分での使用も可能例)
【００１９】
図８は、移動介助椅子トイレ兼用座部、トイレ使用時は洋式トイレにそのまま上から移動介助椅子ごと乗せるだけで容易にトイレが使用出来ます。
【符号の説明】
【００２０】
１、安全ベルト足付け根部分
２、安全ベルト腰部分
３、安全ベルト肩掛け部分
４、移動介助椅子持ち部分
５、移動介助椅子(トイレ兼用座部)
６、移動介助椅子(トイレ兼用中央座部)
７、移動介助車椅子背部分
８、移動介助椅子（座部が中央座部を備えていない移動介助椅子）
９、移動介助椅子回転軸
１０、移動介助椅子トイレ兼用中央座部取り付け紐部分
【手続補正２】
【補正対象書類名】実用新案登録請求の範囲
【補正対象項目名】請求項２
【補正方法】変更
【補正の内容】
【請求項２】
移動介助椅子トイレ兼用中央座部６を、車椅子・ソファー・ベッド・などに固定でき、移動介助椅子中央座部６と移動介助椅子トイレ兼用座部５の中央部分両サイドから高さを合わせ足の根もとを固定する安全ベルトも使用する事が出来る事を特徴とする請求項１記載の移動介助椅子
【手続補正４】
【補正対象書類名】図面
【補正対象項目名】図２
【補正方法】変更
【補正の内容】
【図２】
0003188081.tif 000011
【手続補正書】
【提出日】平成25年7月19日(2013.7.19)
【手続補正１】
【補正対象書類名】実用新案登録請求の範囲
【補正対象項目名】全文
【補正方法】変更
【補正の内容】
【実用新案登録請求の範囲】
【請求項１】
背部と座部と背部を座部に対して回転可能にする回転軸を備えた移動介助椅子において移動介助椅子の背部を寝せると平らに出来、背部を起こすと椅子の形状に固定出来、移動介助椅子に座ったまま車椅子・ベッド・ソファー・トイレ・車・に移動する事が出来る事を特徴とする移動介助椅子。
【請求項２】
移動介助椅子の座部が中央座部とトイレ兼用座部を備え移動介助椅子と中央座部を車椅子・ベッド・ソファー・トイレ・車に固定出来、移動介助椅子と中央座部の組み合わせにより移動する時中央座部を開けた形状が出来そのままトイレの上にも乗せることができ、また安全ベルトで固定する事が出来る構造を特徴とした請求項１記載の移動介助椅子。
【手続補正書】
【提出日】平成25年9月27日(2013.9.27)
【手続補正１】
【補正対象書類名】実用新案登録請求の範囲
【補正対象項目名】全文
【補正方法】変更
【補正の内容】
【実用新案登録請求の範囲】
【請求項１】
背部及び座部と、前記背部と前記座部とを回転可能に接続する接続部を備えた移動介助椅子において前記移動介助椅子は、前記背部を回転させることで平面形状から椅子形状に形を変えられ、椅子形状のまま車椅子・ベッド・ソファー・トイレ・車に載置出来、前記座部の側部に移動介助椅子持ち部材を備えたことを特徴とする移動介助椅子。
【請求項２】
前記移動介助椅子の座部は、中央座部とトイレ兼用座部を備え前記中央座部には、洋式トイレに合わせても対応する事が出来る開口部が備えられ、前記座部には、椅子使用者の体を固定する安全ベルトを移動介助車椅子に備えたことを特徴とする請求項１記載の移動介助椅子。